(57)【特許請求の範囲】
【請求項１】
撮像画像から撮像処理を実行するための物体を検出する検出装置であって、
前記物体とは異なる所定対象物を判別する判別手段と、
前記判別手段により判別された所定対象物が予め登録されている特定対象物であるか否かを判定する認証手段と、
前記判別手段により複数の所定対象物が判別され、前記認証手段により、前記判別手段により判別された前記所定対象物が何れも予め登録されている特定対象物であると判定されなかった場合に、当該所定対象物のうち、撮像画像内の左右両端に存する何れか一方の所定対象物を、撮像画像内における前記物体の検出領域を設定する際の位置の基準として特定する特定手段と、
前記特定手段により特定された所定対象物の状態に応じて、所定位置に前記検出領域を設定する設定手段と、
を備えることを特徴とする検出装置。
【請求項２】
前記設定手段は、前記特定手段により特定された所定対象物の状態に応じて、撮像画像内で当該所定対象物に近接する位置に前記検出領域を設定することを特徴とする請求項１に記載の検出装置。
【請求項３】
前記設定手段は、前記特定手段により特定された所定対象物の状態に応じて、撮像画像内で当該所定対象物の中心から所定の距離離れた同心円の円周上の何れかに前記検出領域を設定することを特徴とする請求項１又は２に記載の検出装置。
【請求項４】
前記特定手段は、前記認証手段により前記所定対象物が予め登録されている特定対象物であると判定された場合に、当該所定対象物を、前記検出領域を設定する際の位置の基準として特定することを特徴とする請求項１〜３の何れか一項に記載の検出装置。
【請求項５】
前記特定対象物に係る情報には、優先順位に係る情報が対応付けられて登録されているものがあり、
前記特定手段は、前記認証手段により前記特定対象物であると判定された所定対象物が複数ある場合に、当該複数の所定対象物のうち、前記優先順位に応じて特定対象物であると判定された所定対象物を、前記検出領域を設定する際の位置の基準として特定することを特徴とする請求項４に記載の検出装置。
【請求項６】
前記特定対象物には、前記検出領域を設定する際の位置の基準として特定されないようにした特別対象物があり、
前記設定手段は、前記認証手段により前記特定対象物であると判定された所定対象物が前記特別対象物である場合に、当該所定対象物の状態によらない特定位置に前記検出領域を設定することを特徴とする請求項４又は５に記載の検出装置。
【請求項７】
前記所定対象物は、人の顔であり、
前記判別手段は、人の顔を判別し、
前記認証手段は、前記判別手段により判別された人の顔が予め登録されている特定の人の顔であるか否かを判定し、
前記特定手段は、前記認証手段により前記人の顔が予め登録されている特定の人の顔であると判定された場合に、当該人の顔を、前記検出領域を設定する際の位置の基準として特定し、
前記設定手段は、前記認証手段により前記特定の人の顔であると判定された人の顔の位置に対して、その人が手を動かしやすい位置に前記検出領域を設定することを特徴とすることを特徴とする請求項４〜６の何れか一項に記載の検出装置。
【請求項８】
前記設定手段は、前記人の顔の位置に対して、所定の距離離れ且つ所定の角度をなす位置に前記検出領域を設定することを特徴とする請求項７に記載の検出装置。
【請求項９】
前記設定手段は、前記検出領域が前記認証手段により前記特定の人の顔であると判定された人の顔以外の人の顔と重なる場合に、当該人の顔と重ならない位置に前記検出領域を設定することを特徴とする請求項７又は８に記載の検出装置。
【請求項１０】
前記特定の人の顔に係る情報には、当該特定の人の利き腕に係る情報が対応付けられて登録されているものがあり、
前記設定手段は、前記特定の人の利き腕側に前記検出領域を設定することを特徴とする請求項７〜９の何れか一項に記載の検出装置。
【請求項１１】
前記特定手段は、前記撮像画像内の左右両端に存する所定対象物のうち、当該所定対象物以外の所定対象物が存しない側の撮像画像の端までの距離が長い方の所定対象物を、前記検出領域を設定する際の位置の基準として特定することを特徴とする請求項１〜１０の何れか一項に記載の検出装置。
【請求項１２】
前記設定手段は、前記特定手段により特定された所定対象物の位置に対して、当該所定対象物以外の所定対象物が存しない側に前記検出領域を設定することを特徴とする請求項１１に記載の検出装置。
【請求項１３】
前記所定対象物は、人の顔であり、
前記判別手段は、人の顔を判別し、
前記認証手段は、前記判別手段により判別された人の顔が予め登録されている特定の人の顔であるか否かを判定し、
前記特定手段は、前記判別手段により判別された人の顔が何れも予め登録されている特定の人の顔であると判定されなかった場合に、当該人の顔のうち、撮像画像内の左右両端に存する何れか一方の人の顔を、前記検出領域を設定する際の位置の基準として特定し、
前記設定手段は、前記特定手段により特定された人の顔の位置に対して、その人が手を動かしやすい位置に前記検出領域を設定することを特徴とすることを特徴とする請求項１１〜１２の何れか一項に記載の検出装置。
【請求項１４】
前記設定手段は、前記人の顔の位置に対して、所定の距離離れ且つ所定の角度をなす位に前記検出領域を設定することを特徴とする請求項１３に記載の検出装置。
【請求項１５】
撮像手段により逐次撮像される画像内から撮像処理を実行するための特定対象物の位置を検出する物体検出手段と、
前記物体検出手段により検出された前記特定対象物の位置に基づいて移動し得る物体の移動を検出する検出領域を設定する設定手段と、
前記設定手段により設定された検出領域内で前記移動し得る物体の移動を検出する移動検出手段と、
前記物体検出手段により検出された前記特定対象物が移動を検出する対象であるか否かを判定する判定手段と、
前記判定手段による判定結果に応じて、前記特定対象物の位置と前記検出領域の位置との関係が変化するように前記設定手段による検出領域の設定を制御する制御手段と、
を備えることを特徴とする検出装置。
【請求項１６】
前記制御手段は、前記判定手段により前記特定対象物が移動を検出する対象でないと判定された場合には、当該特定対象物が移動を検出する対象であると判定された場合と比較して、前記移動し得る物体の位置と前記検出領域の位置とがより離れるように前記設定手段による検出領域の設定を制御することを特徴とする請求項１５に記載の検出装置。
【請求項１７】
前記制御手段は、前記物体検出手段により前記特定対象物が複数検出された場合には、前記判定手段による各々の特定対象物に対する判定結果に応じて、各々の特定対象物の位置と前記検出領域の位置との関係が変化するように前記設定手段による検出領域の設定を制御することを特徴とする請求項１５又は１６に記載の検出装置。
【請求項１８】
撮像画像から撮像処理を実行するための物体を検出する検出方法であって、
前記物体とは異なる所定対象物を判別する処理と、
判別された所定対象物が予め登録されている特定対象物であるか否かを判定する処理と、
複数の所定対象物が判別され、判別された前記所定対象物が何れも予め登録されている特定対象物であると判定されなかった場合に、当該所定対象物のうち、撮像画像内の左右両端に存する何れか一方の所定対象物を、撮像画像内における前記物体の検出領域を設定する際の位置の基準として特定する処理と、
前記検出領域を設定する際の位置の基準となる所定対象物として特定された所定対象物の状態に応じて、所定位置に前記検出領域を設定する処理と、
を含むことを特徴とする検出方法。
【請求項１９】
撮像画像から撮像処理を実行するための物体を検出する検出装置のコンピュータに、
前記物体とは異なる所定対象物を判別する判別機能、
前記判別機能により判別された所定対象物が予め登録されている特定対象物であるか否かを判定する認証機能、
前記判別機能により複数の所定対象物が判別され、前記認証機能により、前記判別機能により判別された前記所定対象物が何れも予め登録されている特定対象物であると判定されなかった場合に、当該所定対象物のうち、撮像画像内の左右両端に存する何れか一方の所定対象物を、撮像画像内における前記物体の検出領域を設定する際の位置の基準として特定する特定機能、
前記特定機能により特定された所定対象物の状態に応じて、所定位置に前記検出領域を設定する設定機能、
を実現させることを特徴とするプログラム。
【請求項２０】
撮像手段により逐次撮像される画像内から撮像処理を実行するための特定対象物を検出する検出方法であって、
前記特定対象物の位置を検出する処理と、
検出された前記特定対象物の位置に基づいて移動し得る物体の移動を検出する検出領域を設定する処理と、
設定された検出領域内で前記移動し得る物体の移動を検出する処理と、
検出された前記特定対象物が移動を検出する対象であるか否かを判定する処理と、
判定結果に応じて、前記特定対象物の位置と前記検出領域の位置との関係が変化するように前記検出領域の設定を制御する処理と、
を含むことを特徴とする検出方法。
【請求項２１】
撮像手段により逐次撮像される画像内から撮像処理を実行するための特定対象物を検出する検出装置のコンピュータに、
前記特定対象物の位置を検出する物体検出機能、
前記物体検出機能により検出された前記特定対象物の位置に基づいて移動し得る物体の移動を検出する検出領域を設定する設定機能、
前記設定機能により設定された検出領域内で前記移動し得る物体の移動を検出する移動検出機能、
前記物体検出機能により検出された前記特定対象物が移動を検出する対象であるか否かを判定する判定機能、
前記判定機能による判定結果に応じて、前記特定対象物の位置と前記検出領域の位置との関係が変化するように前記設定機能による検出領域の設定を制御する制御機能、
を実現させることを特徴とするプログラム。
【請求項２２】
撮像画像から撮像処理を実行するための物体を検出する検出装置であって、
前記物体とは異なる所定対象物を判別する判別手段と、
前記判別手段により判別された所定対象物が予め登録されている特定対象物であるか否かを判定する認証手段と、
前記認証手段により前記所定対象物が予め登録されている特定対象物であると判定された場合に、当該所定対象物を、前記物体の検出領域を設定する際の位置の基準として特定する特定手段と、
前記特定手段により特定された所定対象物の状態に応じて、所定位置に前記検出領域を設定する設定手段と、
を備え、
前記特定対象物に係る情報には、優先順位に係る情報が対応付けられて登録されているものがあり、
前記特定手段は、前記認証手段により前記特定対象物であると判定された所定対象物が複数ある場合に、当該複数の所定対象物のうち、前記優先順位に応じて特定対象物であると判定された所定対象物を、前記検出領域を設定する際の位置の基準として特定することを特徴とする検出装置。
【請求項２３】
撮像画像から撮像処理を実行するための物体を検出する検出装置であって、
前記物体とは異なる人の顔を判別する判別手段と、
前記判別手段により判別された人の顔が予め登録されている特定の人の顔であるか否かを判定する認証手段と、
前記認証手段により前記人の顔が予め登録されている特定の人の顔であると判定された場合に、当該人の顔を、前記物体の検出領域を設定する際の位置の基準として特定する特定手段と、
前記検出領域が前記認証手段により前記特定の人の顔であると判定された人の顔以外の人の顔と重なる場合に、当該人の顔と重ならない位置に前記検出領域を設定する設定手段と、
を備えることを特徴とする検出装置。
【請求項２４】
撮像画像から撮像処理を実行するための物体を検出する検出装置であって、
前記物体とは異なる人の顔を判別する判別手段と、
前記判別手段により判別された人の顔が予め登録されている特定の人の顔であるか否かを判定する認証手段と、
前記認証手段により前記人の顔が予め登録されている特定の人の顔であると判定された場合に、当該人の顔を、前記物体の検出領域を設定する際の位置の基準として特定する特定手段と、
前記認証手段により前記特定の人の顔であると判定された人の顔の位置に対して、その人が手を動かしやすい位置に前記検出領域を設定する設定手段と、
を備え、
前記特定の人の顔に係る情報には、当該特定の人の利き腕に係る情報が対応付けられて登録されているものがあり、
前記設定手段は、前記特定の人の利き腕側に前記検出領域を設定することを特徴とする検出装置。
【発明の詳細な説明】
【技術分野】
【０００１】
本発明は、検出装置、検出方法及びプログラムに関する。
【背景技術】
【０００２】
従来、デジタルカメラ等の撮像装置に設けられる機能として、撮像画像内の所定の領域（検出領域）で被写体の動きを検出して自動的にシャッタを切る自動撮影機能（以下、モーションシャッタという）が知られている。
【０００３】
しかしながら、上記モーションシャッタでは、例えば、被写体となる人と所定の領域とが離れている場合、この所定の領域に被写体となる人の手が届かず手の動きを検出することができないため、手の動きを検出することができる位置に所定の領域を設定し直す必要があり手間がかかるという問題があった。
【０００４】
そこで、特許文献１には、被写体となる人の顔を検出し、その人に対して、手が届く位置（例えば、胸の辺り）に所定の領域を自動的に設定する技術が開示されている。
【先行技術文献】
【特許文献】
【０００５】
【特許文献１】特開２０１１−９７５０２号公報
【発明の概要】
【発明が解決しようとする課題】
【０００６】
しかしながら、上記特許文献１に開示されている技術では、モーションシャッタを知らない人（例えば、子供など）に対しても所定の領域が設定されてしまうため、この人が何も知らずに動いてしまうことにより、意図しないタイミングで自動撮影が行われてしまう虞があった。
【０００７】
本発明は、このような問題に鑑みてなされたものであり、撮像画像内における物体の検出に際して誤検出を減らすことを目的とする。
【課題を解決するための手段】
【０００８】
上記課題を解決するため、本発明に係る検出装置は、
撮像画像から撮像処理を実行するための物体を検出する検出装置であって、
前記物体とは異なる所定対象物を判別する判別手段と、
前記判別手段により判別された所定対象物が予め登録されている特定対象物であるか否かを判定する認証手段と、
前記判別手段により複数の所定対象物が判別され、前記認証手段により、前記判別手段により判別された前記所定対象物が何れも予め登録されている特定対象物であると判定されなかった場合に、当該所定対象物のうち、撮像画像内の左右両端に存する何れか一方の所定対象物を、撮像画像内における前記物体の検出領域を設定する際の位置の基準として特定する特定手段と、
前記特定手段により特定された所定対象物の状態に応じて、所定位置に前記検出領域を設定する設定手段と、
を備えることを特徴としている。
【発明の効果】
【０００９】
本発明によれば、撮像画像内における物体の検出に際して誤検出を減らすことができる。
【図面の簡単な説明】
【００１０】
【図１】本発明を適用した一実施形態の撮像装置の概略構成を示すブロック図である。
【図２】図１の撮像装置を模式的に示す斜視図である。
【図３】図１の撮像装置の顔画像データファイルの一例を示す図である。
【図４】図１の撮像装置によるモーションシャッタ処理に係る動作の一例を示すフローチャートである。
【図５】図４のモーションシャッタ処理における検出領域設定処理１に係る動作の一例を示すフローチャートである。
【図６】図４のモーションシャッタ処理における検出領域設定処理２に係る動作の一例を示すフローチャートである。
【図７】検出領域の設定の一例を説明するための図である。
【図８】検出領域の設定の一例を説明するための図である。
【図９】検出領域の設定の一例を説明するための図である。
【図１０】検出領域の設定の一例を説明するための図である。
【図１１】検出領域の設定の一例を説明するための図である。
【図１２】検出領域の設定の一例を説明するための図である。
【図１３】図１の撮像装置の設定条件テーブルの一例を示す図である。
【発明を実施するための形態】
【００１１】
以下に、本発明について、図面を用いて具体的な態様を説明する。ただし、発明の範囲は、図示例に限定されない。
【００１２】
図１は、本発明の検出装置を適用した一実施形態の撮像装置１００の概略構成を示すブロック図である。また、図２（ａ）は、図１の撮像装置１００を模式的に示す斜視図であり、図２（ｂ）は、撮像装置１００の表示パネル８ａを１８０°回動させた状態を模式的に示す斜視図である。
図１に示すように、本実施形態の撮像装置１００は、中央制御部１と、メモリ２と、撮像部３と、撮像制御部４と、画像データ生成部５と、記憶部６と、画像記録部７と、表示部８と、操作入力部９とを備えている。
また、中央制御部１、メモリ２、撮像部３、撮像制御部４、画像データ生成部５、記憶部６、画像記録部７及び表示部８は、バスライン１０を介して接続されている。
【００１３】
また、撮像装置１００は、図２（ａ）及び図２（ｂ）に示すように、撮像部３（特に、レンズ部３ａ；後述）を具備する装置本体部１００Ａに表示部８の表示パネル８ａが所定の回動機構（例えば、ヒンジ機構等）を介して取りつけられている。具体的には、表示パネル８ａは、光軸Ｘ方向に略直交する一の軸（例えば、水平方向の軸等）周りに略１８０°回動自在に装置本体部１００Ａに軸支されている。つまり、表示パネル８ａを装置本体部１００Ａに対して相対的に略１８０°回動させることで、表示パネル８ａの表示方向を撮像部３の撮像方向と略等しくするように、すなわち、表示パネル８ａをレンズ部３ａの露出面と同様に被写体側に臨むように配置することができるようになっている（図２（ｂ）参照）。そして、表示パネル８ａをレンズ部３ａの露出面と同じ側とした状態では、ユーザが表示パネル８ａに表示されるユーザ自身を含む画像を視認しながら、所謂、自分撮りを行うことができる。
なお、表示パネル８ａは、例えば、装置本体部１００Ａに対して光軸Ｘ方向に略直交する垂直方向の軸周りに略１８０°回動自在に軸支されていても良く、この場合も、表示パネル８ａをレンズ部３ａの露出面と同じ側とした状態では、所謂、自分撮りを行うことができる。
【００１４】
中央制御部（制御手段）１は、撮像装置１００の各部を制御するものである。具体的には、中央制御部１は、図示は省略するが、ＣＰＵ（Central Processing Unit）、ＲＡＭ（Random Access Memory）、ＲＯＭ（Read Only Memory）を備え、撮像装置１００用の各種処理プログラム（図示略）に従って各種の制御動作を行う。
【００１５】
メモリ２は、例えば、ＤＲＡＭ（Dynamic Random Access Memory）等により構成され、中央制御部１や撮像制御部４等の各部によって処理されるデータ等を一時的に記憶するものである。
【００１６】
撮像部（撮像手段）３は、被写体を撮像する。具体的には、撮像部３は、レンズ部３ａと、電子撮像部３ｂとを備えている。
【００１７】
レンズ部３ａは、例えば、レンズやフォーカスレンズ等の複数のレンズから構成されている。
電子撮像部３ｂは、例えば、ＣＭＯＳ（Complementary Metal Oxide Semiconductor）やＣＣＤ（Charge Coupled Device）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１８】
撮像制御部４は、撮像部３による被写体の撮像を制御する。
撮像制御部４は、図示は省略するが、タイミング発生器、ドライバなどを備えている。撮像制御部４は、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部５に出力させる。また、撮像制御部４は、ＡＦ（自動合焦処理）、ＡＥ（自動露出処理）、ＡＷＢ（自動ホワイトバランス調整処理）等の被写体を撮像する際の条件の調整制御を行う。
【００１９】
また、本実施形態において、撮像制御部４は、状態判定部４ａと、判別部４ｂと、認証部４ｃと、特定部４ｄと、設定部４ｅと、検出部４ｆと、開始制御部４ｇとを具備している。
なお、撮像制御部４の各部は、例えば、所定のロジック回路から構成されているが、当該構成は一例であってこれに限られるものではない。
【００２０】
状態判定部４ａは、撮像装置１００の状態を判定する。
すなわち、状態判定部４ａは、撮像部３により撮像されて表示部８に表示される被写体の画像を当該被写体自身に視認させることが可能な所定の状態（所謂、自分撮りの状態）であるか否かを判定する。
具体的には、状態判定部４ａは、撮像部３による被写体の撮像の際に、撮像部３の撮像方向（レンズ部３ａの露出方向）と表示パネル８ａの表示方向が略等しくなっている状態であるか否かを判定する。例えば、状態判定部４ａは、装置本体部１００Ａに対して表示パネル８ａが略１８０°回動したことを機械的に検出するスイッチ（図示略）の検出信号や、表示パネル８ａの重力方向に対する傾きを検出するセンサ（例えば、加速度センサ等；図示略）の検出信号の入力に基づいて、撮像部３の撮像方向と表示パネル８ａの表示方向が略等しくなっているか否かを判定する。
そして、状態判定部４ａは、撮像部３の撮像方向と表示パネル８ａの表示方向が略等しくなっていると判定した場合に、撮像部３により撮像されて表示部８に表示される被写体の画像を当該被写体自身に視認させることが可能な所定の状態であると特定する。
【００２１】
判別部（判別手段）４ｂは、表示パネル８ａに表示されるライブビュー画像Ｌから人の顔（所定対象物）を判別する。
本実施形態において、判別部４ｂは、所定の顔検出処理を行い、逐次表示されるライブビュー画像Ｌ内から不特定の人の顔が含まれる顔領域を検出する。顔領域が検出された場合、判別部４ｂは、人の顔を判別したこととなる。
なお、顔検出処理は、公知の技術であるので、ここでは詳細な説明を省略する。
【００２２】
認証部（認証手段、物体検出手段）４ｃは、判別部４ｂにより判別された人の顔が顔画像データファイル６ａ（後述する図３参照）に予め登録されている特定の人の顔であるか否かを判定する。
具体的には、判別部４ｂによってライブビュー画像Ｌ内から人の顔が判別された場合、認証部４ｃは、この人の顔の画像データを顔画像データファイル６ａに登録されている特定の人の顔に係る認証用特徴情報と照合し、この人の顔が特定の人の顔であるか否かを判定する。そして、この人の顔の画像データと一致する認証用特徴情報が検出された場合、認証部４ｃは、当該認証用特徴情報を有するＩＤ番号の人の顔を認証したこととなる。
【００２３】
特定部（特定手段、判定手段）４ｄは、検出領域Ｔを設定する際の位置の基準となる人の顔を特定する。検出領域Ｔとは、例えば、図７（ａ）に示すように、表示パネル８ａに表示されるライブビュー画像Ｌ内において物体（例えば、被写体となる人の手）を検出する領域をいう。また、図７（ａ）のように斜線が施されている検出領域Ｔは、物体を検出する領域として最も適した位置に設定された領域を意味している。例えば、被写体となる人の手を検出する場合にあっては、被写体となる人がスムーズに手を出すことができる位置である。
本実施形態において、特定部４ｄは、認証部４ｃにより特定の人の顔が複数認証された場合、これらの特定の人の顔のうち優先順位が最も高い人の顔を特定する。例えば、図３に示すように、認証部４ｃによりＩＤ番号「０００１」と「０００２」の人の顔が認証された場合、特定部４ｄは、優先順位が１位であるＩＤ番号「０００１」の人の顔を、検出領域Ｔを設定する際の位置の基準として特定する。ただし、優先順位が最も高い人の顔の位置を基準とした検出領域Ｔの設定が不可能であると設定部４ｅ（後述）により判定された場合、特定部４ｄは、次に優先順位が高い人の顔を、検出領域Ｔを設定する際の位置の基準として特定する。そして、優先順位が最も低い人の顔の位置を基準としても検出領域Ｔの設定が不可能であると設定部４ｅにより判定された場合、特定部４ｄは、優先順位が最も高い人の顔を再度特定することとなる。かかる場合、設定部４ｅは、所定条件（設定条件３；後述）の下、検出領域Ｔを設定することとなる。
なお、認証部４ｃにより認証された特定の人の顔が何れも検出領域Ｔの設定対象外（モーションシャッタ設定対象外）の場合（図３のＩＤ番号「０００３」参照）、特定部４ｄは、認証部４ｃにより認証された何れの人の顔も、検出領域Ｔを設定する際の位置の基準として特定しない。かかる場合、設定部４ｅは、所定条件（設定条件４；後述）の下、検出領域Ｔを設定することとなる。
【００２４】
また、特定部４ｄは、認証部４ｃにより認証された特定の人の顔が一つの場合、この特定の人の顔を、検出領域Ｔを設定する際の位置の基準として特定する。なお、この特定の人が、例えば、図３のＩＤ番号「０００３」の人である場合、特定部４ｄは、この特定の人の顔を、検出領域Ｔを設定する際の位置の基準として特定しない。かかる場合、設定部４ｅは、所定条件（設定条件４；後述）の下、検出領域Ｔを設定することとなる。
【００２５】
また、特定部４ｄは、認証部４ｃにより特定の人の顔が認証されなかったものの判別部４ｂにより複数の人の顔が判別された場合、ライブビュー画像Ｌ内の左右両端に存する人の顔のうち、当該人の顔以外の人の顔が存しない側のライブビュー画像Ｌの端までの距離が長い方の人の顔を、検出領域Ｔを設定する際の位置の基準として特定する。
例えば、図１１（ａ）に示すように、判別部４ｂにより３人の顔Ｉａ，Ｉｂ，Ｉｃが判別された場合、特定部４ｄは、ライブビュー画像Ｌ内の左右両端に存する人の顔Ｉａ，Ｉｃのそれぞれについて、当該人の顔Ｉａ，Ｉｃ以外の人の顔Ｉｂが存しない側のライブビュー画像Ｌの端までの距離ｄ１，ｄ２を算出する。かかる場合、距離ｄ１よりも距離ｄ２の方が長いため、当該距離が長い方の人の顔Ｉｃを、検出領域Ｔを設定する際の位置の基準として特定する。
【００２６】
また、特定部４ｄは、認証部４ｃにより特定の人の顔が認証されなかったものの判別部４ｂにより人の顔が一つ判別された場合、当該人の顔を、検出領域Ｔを設定する際の位置の基準として特定する。
【００２７】
設定部（設定手段）４ｅは、特定部４ｄにより特定された人の顔の状態に応じて、所定位置に検出領域Ｔを設定する。
本実施形態において、特定部４ｄにより特定された人の顔が認証部４ｃにより認証された特定の人の顔（認証部４ｃにより認証された特定の人の顔が複数ある場合には優先順位が最も高い人の顔）である場合、設定部４ｅは、当該特定の人の顔の大きさが検出領域Ｔを設定可能な大きさであるか否かを判定する。具体的には、設定部４ｅは、当該特定の人の顔の顔画像の縦方向の長さと所定の比率とを乗算することに導出された値を半径とする円であって、その円の中心が当該特定の人の顔の中心と一致するようにした円を設定する。そして、この円の円周が一部でもライブビュー画像Ｌの領域に掛かる場合（図７（ａ），（ｂ）参照）は、設定部４ｅは、検出領域Ｔを設定可能な大きさであると判定する。ここで、設定部４ｅは、この円の円周上を、手を動かしやすい位置とみなし当該円周上の何れかに検出領域Ｔを設定することとなる。
【００２８】
一方、この円の円周が一部でもライブビュー画像Ｌの領域に掛からない場合（図１０（ｃ）参照）は、設定部４ｅは、検出領域Ｔを設定可能な大きさでないと判定する。かかる場合、設定部４ｅは、後述する記憶部６に含まれる設定条件テーブル６ｂ（図１３参照）のうちの設定条件５の下、検出領域Ｔを設定する。
具体的には、設定部４ｅは、例えば、図１０（ｄ）に示すように、上述した円の半径を小さくしていき、ライブビュー画像Ｌの領域に円周の一部が最初に掛かった位置、すなわち当該特定の人の顔から最も離れた位置に検出領域Ｔを設定する。
【００２９】
また、当該特定の人の顔の大きさが検出領域Ｔを設定可能な大きさであると判定された場合、設定部４ｅは、設定条件テーブル６ｂ（図１３参照）のうち設定条件２を満たすか否かを判定する。
具体的には、設定部４ｅは、上述した円周上において、検出部４ｂにより検出されたライブビュー画像Ｌ内の他の人の顔と重ならないことを条件に、（１）当該特定の人の利き腕側（図３参照）であり、かつ、当該特定の人の顔の中心に対して所定の角度（仰角）をなす位置、（２）真上よりは下側の利き腕側、（３）真下よりは上側の利き腕側、（４）利き腕でない側であり、かつ、当該特定の人の顔の中心に対して所定の角度（仰角）をなす位置、（５）真上よりは下側の利き腕でない側、（６）真下よりは上側の利き腕でない側、の上記（１）〜（６）の順に検出領域Ｔを設定可能な領域を検索する。なお、特定の人の利き腕がどちらであるかは、図３に示すように、当該特定の人のＩＤ番号と対応付けられて顔画像データファイル６ａに登録されている利き腕に係る情報に基づき判断することができるようになっている。
検索の結果、例えば、図８（ａ）〜（ｆ）に示すように、検出領域Ｔを設定可能な領域が検出された場合、設定部４ｅは、設定条件２を満たすと判定し、当該領域に検出領域Ｔを設定する。ここで、図８（ａ），（ｂ）は、上記（１）の当該特定の人の利き腕側であり、かつ、当該特定の人の顔の中心に対して所定の角度（仰角）をなす位置で検出領域Ｔを設定することができたときの一例を示す図である。また、同図（ｃ）は、上記（２）の真上よりは下側の利き腕側で検出領域Ｔを設定することができたときの一例を示す図である。また、同図（ｄ）は、上記（４）の利き腕でない側であり、かつ、当該特定の人の顔の中心に対して所定の角度（仰角）をなす位置で検出領域Ｔを設定することができたときの一例を示す図である。また、同図（ｅ）は、上記（３）の真下よりは上側の利き腕側で検出領域Ｔを設定することができたときの一例を示す図である。また、同図（ｆ）は、上記（６）の真下よりは上側の利き腕でない側で検出領域Ｔを設定することができたときの一例を示す図である。なお、所定の角度（仰角）は、例えば、４５°で、人が自然に手を上げることができる角度に設定されているが、任意に変更できるようにしてもよい。
【００３０】
一方、検索の結果、例えば、図９に示すように、認証部４ｃにより認証された特定の人の顔Ａを中心とする上述した円周上において検出領域Ｔを設定しようとすると他の人の顔と重なってしまい、検出領域Ｔを設定可能な領域が検出されなかった場合、設定部４ｅは、認証部４ｃにより認証された特定の人の顔がまだあるか判定する。そして、認証部４ｃにより認証された特定の人の顔がまだあると判定された場合、特定部４ｄは、次に優先順位が高い特定の人の顔（例えば、図９の特定の人の顔Ｂ）を特定する。そして、設定部４ｅは、この特定の人の顔に対しても検出領域Ｔを設定するための上記判定処理を行い、検出領域Ｔが設定することができると判定された場合、図９のように検出領域Ｔが設定される。一方、検出領域Ｔが設定されない場合、特定部４ｄは、次に優先順位が高い特定の人の顔を特定する。そして、優先順位が最も低い特定の人の顔の位置を基準としても検出領域Ｔの設定が不可能であると設定部４ｅにより判定された場合（図１０（ａ）参照）、特定部４ｄは、優先順位が最も高い特定の人の顔を再度特定する。かかる場合、設定部４ｅは、設定条件テーブル６ｂ（図１３参照）のうちの設定条件３の下、検出領域Ｔを設定する。
具体的には、上述した円周上において、ライブビュー画像Ｌ内の他の人の顔と重なっても良いことを条件に、設定条件２の（１）〜（６）の順に検出領域Ｔを設定可能な領域を検索する。そして、検索の結果、例えば、図１０（ｂ）に示すように、検出領域Ｔを設定可能な領域が検出された場合、設定部４ｅは、当該領域に検出領域Ｔを設定する。ここで、図１０（ｂ）は、ライブビュー画像Ｌ内の他の人の顔と重なっても良いことを条件に、設定条件２の上記（１）の当該特定の人の利き腕側であり、かつ、当該特定の人の顔の中心に対して所定の角度（仰角）をなす位置で検出領域Ｔを設定することができたときの一例を示す図である。
【００３１】
また、特定部４ｄにより特定された人の顔が認証部４ｃにより認証された特定の人の顔であっても、当該特定の人の顔が検出領域Ｔの設定対象外（モーションシャッタ設定対象外；特別対象物）の場合（図３のＩＤ番号「０００３」参照）、設定部４ｅは、設定条件テーブル６ｂ（図１３参照）のうちの設定条件４の下、検出領域Ｔを設定する。
具体的には、図１２（ａ），（ｂ）に示すように、設定部４ｅは、認証部４ｃにより認証された特定の人の顔Ｍ，Ｎの位置によらず、予め決められた特定位置（例えば、ライブビュー画像Ｌ内の右上の角）に検出領域Ｔを設定する。
【００３２】
また、特定部４ｄにより特定された人の顔が、認証部４ｃにより特定の人の顔が認証されず、判別部４ｂにより判別された不特定の他の人の顔から特定された場合も、設定部４ｅは、上述した特定部４ｄにより特定された人の顔が認証部４ｃにより認証された特定の人の顔であるときと同様、当該特定された人の顔の大きさが検出領域Ｔを設定可能な大きさであるか否かを判定する。
【００３３】
そして、特定部４ｄにより特定された人の顔の大きさが検出領域Ｔを設定可能な大きさであると判定された場合、設定部４ｅは、設定条件テーブル６ｂ（図１３参照）のうちの設定条件１の下、検出領域Ｔを設定する。
具体的には、設定部４ｅは、特定部４ｄにより特定された人の顔を中心とする上述の円周上において、ライブビュー画像Ｌ内の他の人の顔と重ならないことを条件に、（１）当該人の顔以外の人の顔が存しない側であり、かつ、当該人の顔の中心に対して所定の角度（仰角）をなす位置、（２）真上よりは下側、（３）真下よりは上側、の上記（１）〜（３）の順に検出領域Ｔを設定可能な領域を検索する。当該検索の結果、検出領域Ｔを設定可能な領域が検出された場合、当該領域に検出領域Ｔを設定する。より具体的には、例えば、図１１（ｂ）に示すように、設定部４ｅは、特定部４ｄにより特定された人の顔Ｉｃを中心とする上述の円周上において、上記（１）〜（３）の順に検出領域Ｔを設定可能な領域を検索する。かかる場合、当該人の顔Ｉｃ以外の人の顔Ｉａ，Ｉｂが存しない側（Ｉｃの右側）であり、かつ、当該人の顔Ｉｃの中心に対して所定の角度（仰角）をなす位置に検出領域Ｔを設定可能であるため、この位置に検出領域Ｔを設定することとなる。一方、検出領域Ｔを設定可能な領域が検出されなかった場合、設定部４ｅは、当該人の顔を中心とする上述の円周上において、ライブビュー画像Ｌ内の他の人の顔と重なっても良いことを条件に、当該人の右側（利き腕側とみなす）であり、かつ、当該人の顔の中心に対して所定の角度（仰角）をなす位置を最優先とし、次いで、設定条件１の（２）〜（３）の順に検出領域Ｔを設定可能な領域を検索する。そして、設定部４ｅは、検索された領域に検出領域Ｔを設定する。
一方、当該人の顔の大きさが検出領域Ｔを設定可能な大きさでないと判定された場合、設定部４ｅは、設定条件テーブル６ｂ（図１３参照）のうちの設定条件５の下、検出領域Ｔを設定する。なお、設定条件５の下になされる検出領域Ｔの設定方法は、上述した特定部４ｄにより特定された人の顔が認証部４ｃにより認証された特定の人の顔であるときと同様であるため、その説明は省略する。
【００３４】
検出部（移動検出手段）４ｆは、設定部４ｅにより設定された検出領域Ｔにおいて物体を検出する。
具体的には、検出部４ｆは、逐次表示されるライブビュー画像Ｌ内の検出領域Ｔ内の画素値の変動に基づいて画像の変化を検出することにより物体を検出する。
なお、図示は省略するが、検出領域Ｔにはモーションシャッタを開始するための開始指標がＯＳＤ（On Screen Display）表示される。
【００３５】
開始制御部４ｇは、撮像部３による被写体の撮像画像の撮影処理を実行する。
本実施形態において、開始制御部４ｇは、設定部４ｅにより設定された検出領域Ｔにおいて、検出部４ｆにより物体（例えば、被写体となる人の手）が検出された場合、撮像部３による被写体の撮像画像の撮影処理を実行する。
【００３６】
画像データ生成部５は、電子撮像部３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、画像データ生成部５は、生成した画像データをバッファメモリとして使用されるメモリ２や画像記録部７に転送する。
【００３７】
記憶部６は、読み書き可能な不揮発性のメモリであり、例えば、フラッシュメモリやＥＥＰＲＯＭ（Electrically Erasable and Programmable Read Only Memory）である。この記憶部６には、顔画像データファイル６ａ、設定条件テーブル６ｂ等が格納されている。
【００３８】
顔画像データファイル６ａには、図３に示すように、特定の人のＩＤ番号と、当該特定の人の認証用特徴情報と、優先順位に係る情報と、当該特定の人の利き腕に係る情報とが対応付けられて予め記憶されている。本実施形態では、判別部４ｂで判別された人の顔の画像データと顔画像データファイル６ａに記憶されている認証用特徴情報を認証部４ｃによって照合することにより、判別部４ｂで判別された人の顔が特定の人の顔であるか否かを判定することができるようになっている。
【００３９】
設定条件テーブル６ｂは、上述したように検出領域Ｔを設定する際の設定条件を定義したものである。具体的には、図１３に示すように、設定条件テーブル６ｂには、設定条件１〜５の５つの条件が定義されている。
【００４０】
画像記録部７は、例えば、不揮発性メモリ（フラッシュメモリ）等により構成されている。また、画像記録部７は、画像データ生成部５の符号化部（図示略）により所定の符号化方式で符号化された各種の画像の画像データを記録する。
本実施形態では、画像記録部７は、例えば、開始制御部４ｇにより撮影処理を実行した際に撮像された画像の画像データ等を記録する。
【００４１】
なお、画像記録部７は、例えば、記録媒体（図示略）が着脱自在に構成され、装着された記録媒体からのデータの読み出しや記録媒体に対するデータの書き込みを制御する構成であっても良い。
【００４２】
表示部８は、静止画像や動画像を表示する。具体的には、表示部８は、表示パネル８ａと、表示制御部８ｂとを具備している。
【００４３】
表示パネル８ａは、表示領域内に画像を表示する。具体的には、表示パネル８ａは、静止画撮像モードや動画撮像モードにて、撮像部３による被写体の撮像により生成された複数の画像フレームを所定の再生フレームレートで逐次更新しながらライブビュー画像Ｌを表示する。
なお、表示パネル８ａとしては、例えば、液晶表示パネルや有機ＥＬ表示パネルなどが挙げられるが、一例であってこれらに限られるものではない。
【００４４】
表示制御部８ｂは、メモリ２や画像記録部７から読み出され復号された所定サイズの画像データに基づいて、所定の画像を表示パネル８ａの表示画面に表示させる制御を行う。具体的には、表示制御部８ｂは、ＶＲＡＭ（Video Random Access Memory）、ＶＲＡＭコントローラ、デジタルビデオエンコーダなどを備えている。そして、デジタルビデオエンコーダは、中央制御部１の制御下にてメモリ２から読み出されてＶＲＡＭ（図示略）に記憶されている輝度信号Ｙ及び色差信号Ｃｂ，Ｃｒを、ＶＲＡＭコントローラを介してＶＲＡＭから読み出して、これらのデータを元にビデオ信号を発生して表示パネル８ａに出力する。
【００４５】
また、表示制御部８ｂは、本実施形態において、撮像部３の撮像方向と表示パネル８ａの表示方向が略等しくなっていると状態判定部４ａにより判定されると、撮像部３により撮像されて画像データ生成部５により生成された複数の画像フレームを所定の再生フレームレートで逐次更新しながらライブビュー画像Ｌを表示パネル８ａに表示させるとともに、所定の格納手段（例えば、メモリ２等）に格納されている、撮像開始を指示する開始指標等の画像データを読み出して取得し、ライブビュー画像Ｌ内の検出領域Ｔに重畳させてＯＳＤ表示させる。
【００４６】
操作入力部９は、装置本体に対して各種指示を入力するためのものである。
具体的には、操作入力部９は、例えば、シャッタボタン、動作モードや機能等の選択指示に係る上下左右のカーソルボタン、決定ボタン等を具備する操作部（図示略）を備えている。
そして、ユーザにより操作部の各種ボタンが操作されると、操作入力部９は、操作されたボタンに応じた操作指示を中央制御部１に出力する。中央制御部１は、操作入力部９から出力され入力された操作指示に従って所定の動作（例えば、被写体の撮像等）を各部に実行させる。
なお、操作入力部９は、表示部８の表示パネル８ａと一体となって設けられたタッチパネル（図示略）を有して構成されていても良い。
【００４７】
＜モーションシャッタ処理＞
次に、本実施形態の撮像装置１００によるモーションシャッタ処理について図４を参照して説明する。
図４は、モーションシャッタ処理に係る動作の一例を示すフローチャートである。
【００４８】
図４に示すように、先ず、状態判定部４ａは、撮像部３の撮像方向と表示パネル８ａの表示方向が略等しくなっている状態であるか否かを判定する（ステップＳ１）。すなわち、状態判定部４ａは、装置本体部１００Ａに対して表示パネル８ａが略１８０°回動した状態とされているか否かを判定する。
【００４９】
ステップＳ１にて、撮像部３の撮像方向と表示パネル８ａの表示方向が略等しくなっていないと判定されると（ステップＳ１；ＮＯ）、モーションシャッタ処理を終了する。
一方、ステップＳ１にて、撮像部３の撮像方向と表示パネル８ａの表示方向が略等しくなっていると判定されると（ステップＳ１；ＹＥＳ）、表示制御部８ｂは、撮像部３により撮像されて画像データ生成部５により生成された複数の画像フレームを所定の再生フレームレートで逐次更新しながらライブビュー画像Ｌを表示パネル８ａに表示させる（ステップＳ２）。
【００５０】
次いで、判別部４ｂは、顔検出処理（ステップＳ３）を行い、逐次表示されるライブビュー画像Ｌ内から人の顔を検出する。
そして、ステップＳ４において、人の顔が検出（判別）されない場合（ステップＳ４；ＮＯ）、モーションシャッタ処理を終了する。
一方、ステップＳ４において、人の顔が検出（判別）された場合（ステップＳ４；ＹＥＳ）、認証部４ｃは、顔認証処理（ステップＳ５）を行い、ライブビュー画像Ｌ内において検出された人の顔が予め顔画像データファイル６ａに登録されている特定の人の顔であるか否かを判定する。
【００５１】
そして、ステップＳ６において、登録されている顔（特定の人の顔）を認証できない、すなわち、ライブビュー画像Ｌ内において検出された人の顔が予め顔画像データファイル６ａに登録されている特定の人の顔でないと判定された場合（ステップＳ６；ＮＯ）、特定部４ｄ及び設定部４ｅは、検出領域設定処理１（ステップＳ７）を行い、ステップＳ９へ移行する。なお、検出領域設定処理１については、後述する。
【００５２】
一方、ステップＳ６において、登録されている顔（特定の人の顔）を認証できた、すなわち、ライブビュー画像Ｌ内において検出された人の顔が予め顔画像データファイル６ａに登録されている特定の人の顔であると判定された場合（ステップＳ６；ＹＥＳ）、特定部４ｄ及び設定部４ｅは、検出領域設定処理２（ステップＳ８）を行い、ステップＳ９へ移行する。なお、検出領域設定処理２については、後述する。
【００５３】
次いで、検出部４ｆは、設定部４ｅにより設定された検出領域Ｔにおいて物体を検出する（ステップＳ９）。
次いで、開始制御部４ｇは、検出領域Ｔにおいて物体が検出されたことに応じて、撮像部３による被写体の撮像画像の撮影処理（ステップＳ１０）を行い、モーションシャッタ処理を終了する。
【００５４】
＜検出領域設定処理１＞
次に、検出領域設定処理１について、図５を参照して詳細に説明する。
図５は、検出領域設定処理１に係る動作の一例を示すフローチャートである。
【００５５】
図５に示すように、先ず、特定部４ｄは、ライブビュー画像Ｌ内において判別部４ｂにより検出（判別）された人の顔が複数であるか否かを判定する（ステップＳ１０１）。
【００５６】
ステップＳ１０１において、ライブビュー画像Ｌ内において判別部４ｂにより検出（判別）された人の顔が複数であると判定された場合（ステップＳ１０１；ＹＥＳ）、特定部４ｄは、当該複数の人の顔のうち、ライブビュー画像Ｌ内の左右両端に存する人の顔を特定する（ステップＳ１０２）。
【００５７】
次いで、特定部４ｄは、左右両端に存する人の顔のそれぞれに対して、当該人の顔以外の人の顔が存しない側のライブビュー画像Ｌの端までの距離を算出する（ステップＳ１０３）。
次いで、特定部４ｄは、左右両端に存する人の顔のうち、当該人の顔以外の人の顔が存しない側のライブビュー画像Ｌの端までの距離が長い方の人の顔を、検出領域Ｔを設定する際の位置の基準として特定し（ステップＳ１０４）、ステップＳ１０６へ移行する。
【００５８】
また、ステップＳ１０１において、ライブビュー画像Ｌ内において判別部４ｂにより検出（判別）された人の顔が複数でないと判定された場合（ステップＳ１０１；ＮＯ）、特定部４ｄは、ライブビュー画像Ｌ内において検出（判別）された人の顔を、検出領域Ｔを設定する際の位置の基準として特定し（ステップＳ１０５）、ステップＳ１０６へ移行する。
【００５９】
次いで、設定部４ｅは、特定された人の顔が検出領域Ｔを設定可能な大きさであるか否かを判定する（ステップＳ１０６）。
ステップＳ１０６において、特定された人の顔が検出領域Ｔを設定可能な大きさであると判定された場合（ステップＳ１０６；ＹＥＳ）、設定部４ｅは、設定条件１に応じて、検出領域Ｔを設定し（ステップＳ１０７）、検出領域設定処理１を終了する。
一方、ステップＳ１０６において、特定された人の顔が検出領域Ｔを設定可能な大きさでないと判定された場合（ステップＳ１０６；ＮＯ）、設定部４ｅは、設定条件５に応じて、検出領域Ｔを設定し（ステップＳ１０８）、検出領域設定処理１を終了する。
【００６０】
＜検出領域設定処理２＞
次に、検出領域設定処理２について、図６を参照して詳細に説明する。
図６は、検出領域設定処理２に係る動作の一例を示すフローチャートである。
【００６１】
図６に示すように、先ず、特定部４ｄは、ライブビュー画像Ｌ内において認証部４ｃにより認証された特定の人の顔が複数であるか否かを判定する（ステップＳ２０１）。
【００６２】
ステップＳ２０１において、ライブビュー画像Ｌ内において認証部４ｃにより認証された特定の人の顔が複数であると判定された場合（ステップＳ２０１；ＹＥＳ）、特定部４ｄは、当該複数の特定の人の顔のうち、操作対象（モーションシャッタ設定対象）の顔があるか否かを判定する（ステップＳ２０２）。
【００６３】
ステップＳ２０２において、操作対象（モーションシャッタ設定対象）の顔がないと判定された場合（ステップＳ２０２；ＮＯ）、設定部４ｅは、設定条件４に応じて、検出領域Ｔを設定し（ステップＳ２０８）、検出領域設定処理２を終了する。
一方、ステップＳ２０２において、操作対象（モーションシャッタ設定対象）の顔があると判定された場合（ステップＳ２０２；ＹＥＳ）、特定部４ｄは、優先順位の最も高い特定の人の顔を、検出領域Ｔを設定する際の位置の基準として特定する（ステップＳ２０３）。
【００６４】
次いで、設定部４ｅは、特定された特定の人の顔が検出領域Ｔを設定可能な大きさであるか否かを判定する（ステップＳ２０４）。
ステップＳ２０４において、特定された特定の人の顔が検出領域Ｔを設定可能な大きさでないと判定された場合（ステップＳ２０４；ＮＯ）、設定部４ｅは、設定条件５に応じて、検出領域Ｔを設定し（ステップＳ２１４）、検出領域設定処理２を終了する。
一方、ステップＳ２０４において、特定された特定の人の顔が検出領域Ｔを設定可能な大きさであると判定された場合（ステップＳ２０４；ＹＥＳ）、設定部４ｅは、設定条件２の下、検出領域Ｔの設定が可能であるか否かを判定する（ステップＳ２０９）。
【００６５】
ステップＳ２０９において、設定条件２の下、検出領域Ｔの設定が可能であると判定された場合（ステップＳ２０９；ＹＥＳ）、設定部４ｅは、設定条件２に応じて、検出領域Ｔを設定し（ステップＳ２１０）、検出領域設定処理２を終了する。
一方、ステップＳ２０９において、設定条件２の下、検出領域Ｔの設定が可能でないと判定された場合（ステップＳ２０９；ＮＯ）、特定部４ｄは、認証部４ｃにより認証された特定の人の顔がまだ他にもあるか否かを判定する（ステップＳ２１１）。
【００６６】
ステップＳ２１１において、認証部４ｃにより認証された特定の人の顔がまだ他にもあると判定された場合（ステップＳ２１１；ＹＥＳ）、特定部４ｄは、優先順位が次に高い特定の人の顔を、検出領域Ｔを設定する際の位置の基準として特定し（ステップＳ２１２）、ステップＳ２０４へ移行する。
一方、ステップＳ２１１において、認証部４ｃにより認証された特定の人の顔が他にはないと判定された場合（ステップＳ２１１；ＮＯ）、設定部４ｅは、設定条件３に応じて、検出領域Ｔを設定し（ステップＳ２１３）、検出領域設定処理２を終了する。
【００６７】
また、ステップＳ２０１において、ライブビュー画像Ｌ内において認証部４ｃにより認証された特定の人の顔が複数でない、すなわち単数であると判定された場合（ステップＳ２０１；ＮＯ）、特定部４ｄは、当該特定の人の顔が操作対象（モーションシャッタ設定対象）の顔であるか否かを判定する（ステップＳ２０５）。
【００６８】
ステップＳ２０５において、当該特定の人の顔が操作対象（モーションシャッタ設定対象）の顔であると判定された場合（ステップＳ２０５；ＹＥＳ）、特定部４ｄは、当該特定の人の顔を、検出領域Ｔを設定する際の位置の基準として特定する（ステップＳ２０６）。
【００６９】
次いで、設定部４ｅは、特定された特定の人の顔が検出領域Ｔを設定可能な大きさであるか否かを判定する（ステップＳ２０７）。
ステップＳ２０７において、特定された特定の人の顔が検出領域Ｔを設定可能な大きさでないと判定された場合（ステップＳ２０７；ＮＯ）、設定部４ｅは、設定条件５に応じて、検出領域Ｔを設定し（ステップＳ２１４）、検出領域設定処理２を終了する。
一方、ステップＳ２０７において、特定された特定の人の顔が検出領域Ｔを設定可能な大きさであると判定された場合（ステップＳ２０７；ＹＥＳ）、ステップＳ２０９へ移行する。
【００７０】
また、ステップＳ２０５において、当該特定の人の顔が操作対象（モーションシャッタ設定対象）の顔でないと判定された場合（ステップＳ２０５；ＮＯ）、設定部４ｅは、設定条件４に応じて、検出領域Ｔを設定し（ステップＳ２０８）、検出領域設定処理２を終了する。
【００７１】
以上のように、本実施形態の撮像装置１００によれば、判別部４ｂによって、人の顔を判別し、特定部４ｄによって、判別部４ｂにより複数の人の顔が判別された場合に、ライブビュー画像Ｌ内における物体の検出領域Ｔを設定する際の位置の基準となる人の顔を特定し、設定部４ｅによって、特定部４ｄにより特定された人の顔の状態に応じて、所定位置に検出領域Ｔを設定することとなる。
従って、判別部４ｂにより複数の人の顔が判別された場合に、当該複数の人の顔に応じて検出領域Ｔがそれぞれ設定されることがないので、検出領域Ｔが無闇に設定されることを防止することができ、検出領域Ｔにおける物体の誤検出を減らすことができる。また、特に、検出領域Ｔは、特定部４ｄにより特定された人の顔の状態に応じて、所定位置に設定されることとなるので、好適な位置に検出領域Ｔを設定することができ、ユーザ所望の物体の検出のみを確実に行うことができる。
【００７２】
また、本実施形態の撮像装置１００によれば、判別部４ｂにより判別された人の顔が予め登録されている特定の人の顔であるか否かを判定する認証部４ｃを更に備え、認証部４ｃにより当該人の顔が予め登録されている特定の人の顔であると判定された場合に、特定部４ｄによって、当該人の顔を、検出領域Ｔを設定する際の位置の基準として特定することとなる。
従って、予め登録されている特定の人の顔に対してのみ検出領域Ｔが設定されるので、検出領域Ｔが無闇に設定されることを防止することができ、検出領域Ｔにおける物体の誤検出を減らすことができる。また、特に、検出領域Ｔは、特定部４ｄにより特定された特定の人の顔の状態に応じて、所定位置に設定されることとなるので、より好適な位置に検出領域Ｔを設定することができ、ユーザ所望の物体の検出のみをより確実に行うことができる。
【００７３】
また、本実施形態の撮像装置１００によれば、特定の人の顔に係る情報には、優先順位に係る情報が対応付けられて登録されているものがあり、認証部４ｃにより特定の人の顔であると判定された人の顔が複数ある場合に、特定部４ｄによって、当該複数の人の顔のうち、優先順位に応じて特定の人の顔であると判定された人の顔を、検出領域Ｔを設定する際の位置の基準として特定することとなる。
従って、優先順位が最も高い特定の人の顔を優先し、当該特定の人の顔の状態に応じて、所定位置に検出領域Ｔが設定されることとなるので、より好適な位置に検出領域Ｔを設定することができ、ユーザ所望の物体の検出のみをより確実に行うことができる。
【００７４】
また、本実施形態の撮像装置１００によれば、検出領域Ｔを設定する際の位置の基準として特定されないようにしたモーションシャッタ設定対象外の特定の人の顔があり、認証部４ｃにより特定の人の顔であると判定された人の顔がモーションシャッタ設定対象外の特定の人の顔である場合に、設定部４ｅによって、当該人の顔の状態によらない特定位置に検出領域Ｔを設定することとなる。
従って、モーションシャッタ設定対象外の特定の人の顔の状態に応じて、所定位置に検出領域Ｔが設定されることを防止することができるので、検出領域Ｔにおける物体の誤検出を減らすことができる。
【００７５】
また、本実施形態の撮像装置１００によれば、設定部４ｅによって、認証部４ｃにより特定の人の顔であると判定された人の顔の位置に対して、その人が手を動かしやすい位置、具体的には、当該人の顔の位置に対して、所定の距離離れ且つ所定の角度をなす位置に検出領域Ｔを設定することとなる。
従って、当該特定の人は検出領域Ｔに向けて手をスムーズに移動させることができるので、モーションシャッタの使い勝手が向上することとなる。
【００７６】
また、本実施形態の撮像装置１００によれば、検出領域Ｔが認証部４ｃにより特定の人の顔であると判定された人の顔以外の人の顔と重なる場合に、設定部４ｅによって、当該人の顔と重ならない位置に検出領域Ｔを設定することとなるので、検出領域Ｔにおける物体の誤検出を減らすことができる。
【００７７】
また、本実施形態の撮像装置１００によれば、特定の人の顔に係る情報には、当該特定の人の利き腕に係る情報が対応付けられて登録されているものがあり、設定部４ｅによって、当該特定の人の利き腕側に検出領域Ｔを設定することとなるので、当該特定の人は検出領域Ｔに向けて手をよりスムーズに移動させることができるので、モーションシャッタの使い勝手がより一層向上することとなる。
【００７８】
また、本実施形態の撮像装置１００によれば、判別部４ｂにより判別された人の顔が何れも予め登録されている特定の人の顔であると判定されなかった場合に、特定部４ｄによって、ライブビュー画像Ｌ内の左右両端に存する人の顔のうち、当該人の顔以外の人の顔が存しない側のライブビュー画像Ｌの端までの距離が長い方の人の顔を、検出領域Ｔを設定する際の位置の基準として特定することとなる。
従って、判別部４ｂにより複数の人の顔が判別された場合に、当該複数の人の顔に応じて検出領域Ｔがそれぞれ設定されることがないので、検出領域Ｔが無闇に設定されることを防止することができ、検出領域Ｔにおける物体の誤検出を減らすことができる。また、特に、ライブビュー画像Ｌ内の左右両端に存する人の顔のうち、当該人の顔以外の人の顔が存しない側のライブビュー画像Ｌの端までの距離が長い方の人の顔を、検出領域Ｔを設定する際の位置の基準として特定することとなる。これにより、当該人の顔以外の人の顔が存しない好適な位置に検出領域Ｔを設定し易くなる。
また、設定部４ｅによって、特定部４ｄにより特定された人の顔の位置に対して、その人が手を動かしやすい位置、具体的には、当該人の顔の位置に対して、所定の距離離れ且つ所定の角度をなす位置に検出領域Ｔを設定することとなる。これにより、特定部４ｄにより特定された人は検出領域Ｔに向けて手をスムーズに移動させることができるので、モーションシャッタの使い勝手が向上することとなる。
また、設定部４ｅによって、特定部４ｄにより特定された人の顔の位置に対して、その人の顔以外の人の顔が存しない側に検出領域Ｔを設定するので、当該人の顔以外の人の顔と重ならない位置に検出領域Ｔを設定することができることとなり、検出領域Ｔにおける物体の誤検出を減らすことができる。
【００７９】
なお、本発明は、上記実施形態に限定されることなく、本発明の趣旨を逸脱しない範囲において、種々の改良並びに設計の変更を行っても良い。
例えば、上記実施形態にあっては、特定部４ｄは、認証部４ｃにより特定の人の顔が認証されなかったものの判別部４ｂにより複数の人の顔が判別された場合、ライブビュー画像Ｌ内の左右両端に存する人の顔のうち、当該人の顔以外の人の顔が存しない側のライブビュー画像Ｌの端までの距離を算出し、この距離が長い方の人の顔を、検出領域Ｔを設定する際の位置の基準として特定するようにしたが、これに限らず、ライブビュー画像Ｌ内の左右両端に存する人の顔のうち、当該人の顔以外の人の顔が存しない側のライブビュー画像Ｌの端までの領域の面積を算出し、この面積が大きい方の人の顔を、検出領域Ｔを設定する際の位置の基準として特定するようにしても良い。
【００８０】
また、上記実施形態にあっては、判別部４ｂにより人の顔が判別されなかった場合であっても、予め決められた位置に検出領域Ｔを設定し、例えば、人を撮影対象としない自動撮影を行えるようにしても良い。
【００８１】
また、上記実施形態にあっては、認証部４ｃにより認証された特定の人の顔がモーションシャッタの対象外である場合、特定位置としてライブビュー画像Ｌ内の右上の角に検出領域Ｔを設定するようにしたが、これに限らず、例えば、当該特定の人の顔の位置からライブビュー画像Ｌの端（左端及び右端）までの長さを算出し、この長さが長い方の端に検出領域Ｔを設定するようにしても良い。また、かかる場合、自動撮影後、当該特定の人の顔の範囲のみを自動的に切り出す切出し処理を実行可能としても良い。また、認証部４ｃにより認証された特定の人の顔がモーションシャッタの対象であっても、撮影されることを好まない人の場合、自動撮影後、当該特定の人の顔が入らない範囲を自動的に切り出す切出し処理を実行可能としても良い。なお、当該切出し処理は、公知の技術を利用することにより実現可能となる。
【００８２】
また、上記実施形態にあっては、検出領域Ｔにおける物体の検出として、当該物体が移動した際の画素値の変化により当該物体の検出、すなわちモーションの検出を行ったが、これに限らず、例えば、物体の移動ではなく、特定の物体の形状を認識することにより当該物体の検出を行うようにしても良い。かかる場合、特定の物体の形状認識は、公知の技術を利用することにより実現可能となる。
【００８３】
また、上記実施形態にあっては、撮像部３の撮像方向と表示パネル８ａの表示方向が略等しくなっていると判定された場合に、所定の物体の状態変化を検出するようにしているが、これに限らず、物体を検出するか否かを任意に設定可能としても良い。
【００８４】
また、上記実施形態の撮像装置１００の構成は一例であり、これに限られるものではない。例えば、撮像機能を具備するスマートフォン等の携帯端末から構成されていても良い。具体的には、例えば、携帯端末を用いて本実施形態の自分撮りを行う場合には、当該携帯端末の表示パネル側に露出されている撮像部のレンズ部（所謂、インカメラ）を利用することで、撮像部により撮像されて表示パネルに表示される被写体の動画像を当該被写体自身に視認させることが可能な状態となる。
【００８５】
また、上記実施形態にあっては、判別手段、特定手段、設定手段としての機能を、中央制御部１の制御下にて、判別部、特定部、設定部が駆動することにより実現される構成としたが、これに限られるものではなく、中央制御部１のＣＰＵによって所定のプログラム等が実行されることにより実現される構成としても良い。
すなわち、プログラムを記憶するプログラムメモリ（図示略）に、判別処理ルーチン、特定処理ルーチン、設定処理ルーチンを含むプログラムを記憶しておく。そして、判別処理ルーチンにより中央制御部１のＣＰＵを、所定対象物を判別する手段として機能させるようにしても良い。また、特定処理ルーチンにより中央制御部１のＣＰＵを、判別処理ルーチンにより複数の所定対象物が判別された場合に、撮像画像内における物体の検出領域を設定する際の位置の基準となる所定対象物を特定する手段として機能させるようにしても良い。また、設定処理ルーチンにより中央制御部１のＣＰＵを、特定処理ルーチンにより特定された所定対象物の状態に応じて、所定位置に検出領域を設定する手段として機能させるようにしても良い。
【００８６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８７】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像画像から物体を検出する検出装置であって、
所定対象物を判別する判別手段と、
前記判別手段により複数の所定対象物が判別された場合に、撮像画像内における前記物体の検出領域を設定する際の位置の基準となる所定対象物を特定する特定手段と、
前記特定手段により特定された所定対象物の状態に応じて、所定位置に前記検出領域を設定する設定手段と、
を備えることを特徴とする検出装置。
＜請求項２＞
前記設定手段は、前記特定手段により特定された所定対象物の状態に応じて、撮像画像内で当該所定対象物に近接する位置に前記検出領域を設定することを特徴とする請求項１に記載の検出装置。
＜請求項３＞
前記判別手段により判別された所定対象物が予め登録されている特定対象物であるか否かを判定する認証手段を更に備え、
前記特定手段は、前記認証手段により前記所定対象物が予め登録されている特定対象物であると判定された場合に、当該所定対象物を、前記検出領域を設定する際の位置の基準として特定することを特徴とする請求項１又は２に記載の検出装置。
＜請求項４＞
前記特定対象物に係る情報には、優先順位に係る情報が対応付けられて登録されているものがあり、
前記特定手段は、前記認証手段により前記特定対象物であると判定された所定対象物が複数ある場合に、当該複数の所定対象物のうち、前記優先順位に応じて特定対象物であると判定された所定対象物を、前記検出領域を設定する際の位置の基準として特定することを特徴とする請求項３に記載の検出装置。
＜請求項５＞
前記特定対象物には、前記検出領域を設定する際の位置の基準として特定されないようにした特別対象物があり、
前記設定手段は、前記認証手段により前記特定対象物であると判定された所定対象物が前記特別対象物である場合に、当該所定対象物の状態によらない特定位置に前記検出領域を設定することを特徴とする請求項３又は４に記載の検出装置。
＜請求項６＞
前記所定対象物は、人の顔であり、
前記判別手段は、人の顔を判別し、
前記認証手段は、前記判別手段により判別された人の顔が予め登録されている特定の人の顔であるか否かを判定し、
前記特定手段は、前記認証手段により前記人の顔が予め登録されている特定の人の顔であると判定された場合に、当該人の顔を、前記検出領域を設定する際の位置の基準として特定し、
前記設定手段は、前記認証手段により前記特定の人の顔であると判定された人の顔の位置に対して、その人が手を動かしやすい位置に前記検出領域を設定することを特徴とすることを特徴とする請求項３〜５の何れか一項に記載の検出装置。
＜請求項７＞
前記設定手段は、前記人の顔の位置に対して、所定の距離離れ且つ所定の角度をなす位置に前記検出領域を設定することを特徴とする請求項６に記載の検出装置。
＜請求項８＞
前記設定手段は、前記検出領域が前記認証手段により前記特定の人の顔であると判定された人の顔以外の人の顔と重なる場合に、当該人の顔と重ならない位置に前記検出領域を設定することを特徴とする請求項６又は７に記載の検出装置。
＜請求項９＞
前記特定の人の顔に係る情報には、当該特定の人の利き腕に係る情報が対応付けられて登録されているものがあり、
前記設定手段は、前記特定の人の利き腕側に前記検出領域を設定することを特徴とする請求項６〜８の何れか一項に記載の検出装置。
＜請求項１０＞
前記判別手段により判別された所定対象物が予め登録されている特定対象物であるか否かを判定する認証手段を更に備え、
前記特定手段は、前記認証手段により、前記判別手段により判別された前記所定対象物が何れも予め登録されている特定対象物であると判定されなかった場合に、当該所定対象物のうち、撮像画像内の左右両端に存する何れか一方の所定対象物を、前記検出領域を設定する際の位置の基準として特定することを特徴とする請求項１又は２に記載の検出装置。
＜請求項１１＞
前記特定手段は、前記撮像画像内の左右両端に存する所定対象物のうち、当該所定対象物以外の所定対象物が存しない側の撮像画像の端までの距離が長い方の所定対象物を、前記検出領域を設定する際の位置の基準として特定することを特徴とする請求項１０に記載の検出装置。
＜請求項１２＞
前記設定手段は、前記特定手段により特定された所定対象物の位置に対して、当該所定対象物以外の所定対象物が存しない側に前記検出領域を設定することを特徴とする請求項１１に記載の検出装置。
＜請求項１３＞
前記所定対象物は、人の顔であり、
前記判別手段は、人の顔を判別し、
前記認証手段は、前記判別手段により判別された人の顔が予め登録されている特定の人の顔であるか否かを判定し、
前記特定手段は、前記判別手段により判別された人の顔が何れも予め登録されている特定の人の顔であると判定されなかった場合に、当該人の顔のうち、撮像画像内の左右両端に存する何れか一方の人の顔を、前記検出領域を設定する際の位置の基準として特定し、
前記設定手段は、前記特定手段により特定された人の顔の位置に対して、その人が手を動かしやすい位置に前記検出領域を設定することを特徴とすることを特徴とする請求項１０〜１２の何れか一項に記載の検出装置。
＜請求項１４＞
前記設定手段は、前記人の顔の位置に対して、所定の距離離れ且つ所定の角度をなす位置に前記検出領域を設定することを特徴とする請求項１３に記載の検出装置。
＜請求項１５＞
撮像画像から物体を検出する検出装置であって、
所定対象物が予め登録されている特定対象物であるか否かを判定する認証手段と、
前記認証手段により前記所定対象物が予め登録されている特定対象物であると判定された場合に、当該所定対象物の状態に応じて、所定位置に撮像画像内における前記物体の検出領域を設定する設定手段と、
を備えることを特徴とする検出装置。
＜請求項１６＞
前記所定対象物は、人の顔であり、
前記認証手段は、前記人の顔が予め登録されている特定の人の顔であるか否かを判定し、
前記設定手段は、前記認証手段により前記人の顔が予め登録されている特定の人の顔であると判定された場合に、当該人の顔の位置に対して、その人が手を動かしやすい位置に前記検出領域を設定することを特徴とすることを特徴とする請求項１５に記載の検出装置。
＜請求項１７＞
前記設定手段は、前記人の顔の位置に対して、所定の距離離れ且つ所定の角度をなす位置に前記検出領域を設定することを特徴とする請求項１６に記載の検出装置。
＜請求項１８＞
撮像手段により逐次撮像される画像内から移動し得る物体である特定対象物の位置を検出する物体検出手段と、
前記物体検出手段により検出された前記特定対象物の位置に基づいて物体の移動を検出する検出領域を設定する設定手段と、
前記設定手段により設定された検出領域内で物体の移動を検出する移動検出手段と、
前記物体検出手段により検出された前記特定対象物が移動を検出する対象であるか否かを判定する判定手段と、
前記判定手段による判定結果に応じて、前記特定対象物の位置と前記検出領域の位置との関係が変化するように前記設定手段による検出領域の設定を制御する制御手段と、
を備えることを特徴とする検出装置。
＜請求項１９＞
前記制御手段は、前記判定手段により前記特定対象物が移動を検出する対象でないと判定された場合には、当該特定対象物が移動を検出する対象であると判定された場合と比較して、前記移動し得る物体の位置と前記検出領域の位置とがより離れるように前記設定手段による検出領域の設定を制御することを特徴とする請求項１８に記載の検出装置。
＜請求項２０＞
前記制御手段は、前記物体検出手段により前記特定対象物が複数検出された場合には、前記判定手段による各々の特定対象物に対する判定結果に応じて、各々の特定対象物の位置と前記検出領域の位置との関係が変化するように前記設定手段による検出領域の設定を制御することを特徴とする請求項１８又は１９に記載の検出装置。
＜請求項２１＞
撮像画像から物体を検出する検出方法であって、
所定対象物を判別する処理と、
複数の所定対象物が判別された場合に、撮像画像内における前記物体の検出領域を設定する際の位置の基準となる所定対象物を特定する処理と、
前記検出領域を設定する際の位置の基準となる所定対象物として特定された所定対象物の状態に応じて、所定位置に前記検出領域を設定する処理と、
を含むことを特徴とする検出方法。
＜請求項２２＞
撮像画像から物体を検出する検出装置のコンピュータに、
所定対象物を判別する判別機能、
前記判別機能により複数の所定対象物が判別された場合に、撮像画像内における前記物体の検出領域を設定する際の位置の基準となる所定対象物を特定する特定機能、
前記特定機能により特定された所定対象物の状態に応じて、所定位置に前記検出領域を設定する設定機能、
を実現させることを特徴とするプログラム。
＜請求項２３＞
撮像画像から物体を検出する検出方法であって、
所定対象物が予め登録されている特定対象物であるか否かを判定する処理と、
前記所定対象物が予め登録されている特定対象物であると判定された場合に、当該所定対象物の状態に応じて、所定位置に撮像画像内における前記物体の検出領域を設定する処理と、
を含むことを特徴とする検出方法。
＜請求項２４＞
撮像画像から物体を検出する検出装置のコンピュータに、
所定対象物が予め登録されている特定対象物であるか否かを判定する認証機能、
前記認証機能により前記所定対象物が予め登録されている特定対象物であると判定された場合に、当該所定対象物の状態に応じて、所定位置に撮像画像内における前記物体の検出領域を設定する設定機能、
を実現させることを特徴とするプログラム。
＜請求項２５＞
撮像手段により逐次撮像される画像内から移動し得る物体を検出する検出方法であって、
前記物体である特定対象物の位置を検出する処理と、
検出された前記特定対象物の位置に基づいて物体の移動を検出する検出領域を設定する処理と、
設定された検出領域内で物体の移動を検出する処理と、
検出された前記特定対象物が移動を検出する対象であるか否かを判定する処理と、
判定結果に応じて、前記特定対象物の位置と前記検出領域の位置との関係が変化するように前記設検出領域の設定を制御する処理と、
を含むことを特徴とする検出方法。
＜請求項２６＞
撮像手段により逐次撮像される画像内から移動し得る物体を検出する検出装置のコンピュータに、
前記物体である特定対象物の位置を検出する物体検出機能、
前記物体検出機能により検出された前記特定対象物の位置に基づいて物体の移動を検出する検出領域を設定する設定機能、
前記設定機能により設定された検出領域内で物体の移動を検出する移動検出機能、
前記物体検出機能により検出された前記特定対象物が移動を検出する対象であるか否かを判定する判定機能、
前記判定機能による判定結果に応じて、前記特定対象物の位置と前記検出領域の位置との関係が変化するように前記設定機能による検出領域の設定を制御する制御機能、
を実現させることを特徴とするプログラム。
【符号の説明】
【００８８】
１００  撮像装置
１      中央制御部
３      撮像部
４      撮像制御部
４ａ    状態判定部
４ｂ    判別部
４ｃ    認証部
４ｄ    特定部
４ｅ    設定部
４ｆ    検出部
４ｇ    開始制御部
６      記憶部
６ａ    顔画像データファイル
６ｂ    設定条件テーブル
８      表示部
８ａ    表示パネル
８ｂ    表示制御部
Ｔ      検出領域
【図１】
0006492483.tif 000002
【図２】
0006492483.tif 000003
【図３】
0006492483.tif 000004
【図４】
0006492483.tif 000005
【図５】
0006492483.tif 000006
【図６】
0006492483.tif 000007
【図７】
0006492483.tif 000008
【図８】
0006492483.tif 000009
【図９】
0006492483.tif 000010
【図１０】
0006492483.tif 000011
【図１１】
0006492483.tif 000012
【図１２】
0006492483.tif 000013
【図１３】
0006492483.tif 000014